(57)【要約】【課題】ワイヤ巻取り装置が天窓の有効開口面内へ突出することがなく、見栄えが向上するとともに、耐蝕性や断熱性に優れ、耐久性が向上する天窓装置を提供する。【解決手段】窓穴の窓枠１に固定された固定枠２と、この固定枠２の上面に載置された昇降枠３と、昇降枠３を上昇させて開窓する方向に付勢する開窓付勢機構４と、固定枠２と昇降枠３とに設置した転向プーリ５２、この転向プーリ５２に連続的に配策したワイヤ５１およびワイヤ巻取り装置８からなる閉窓機構５とを備えた天窓装置において、固定枠２は、外側壁２１と底壁２２とを有する固定枠部材２Ａ〜２Ｄを矩形に組むことにより構成され、ワイヤ巻取り装置８は底壁２２の上面で、かつ底壁２２の幅内に設置した。【選択図】図１
2004332533.tif 000002
【特許請求の範囲】
【請求項１】
屋根に開けた窓穴の窓枠１に固定された固定枠２と、この固定枠２に開閉可能に設けられた開閉枠１００と、前記固定枠２と前記開閉枠１００との間に設置され、前記開閉枠１００を開窓方向に付勢する開窓付勢機構４と、前記固定枠２と前記開閉枠１００とに設置した転向プーリ５２、この転向プーリ５２に配策したワイヤ５１および前記ワイヤ５１を巻き取るワイヤ巻取り装置８からなる閉窓機構５とを有する天窓装置において、
前記固定枠２は、外側壁２１と底壁２２とを有する４つの固定枠部材２Ａ〜２Ｄを矩形に組んでなり、前記ワイヤ巻取り装置８は、所定の固定枠部材の前記底壁２２の上面に設置されるとともに、前記底壁２２の幅内に収容されていることを特徴とする天窓装置。
【請求項２】
請求項１に記載の天窓装置において、前記開閉枠１００は、ヒンジ機構により片開き形の窓を形成することを特徴とする天窓装置。
【請求項３】
請求項１に記載の天窓装置において、前記開閉枠１００は、ヒンジ機構により両開き形の窓を形成することを特徴とする天窓装置。
【請求項４】
屋根に開けた窓穴の窓枠１に固定された固定枠２と、この固定枠２の上面に載置された昇降枠３と、前記固定枠２と前記昇降枠３との間に設置され、前記昇降枠３を上昇させて開窓する方向に付勢する開窓付勢機構４と、前記固定枠２と前記昇降枠３とに設置した転向プーリ５２、この転向プーリ５２に配策したワイヤ５１および前記ワイヤ５１を巻き取るワイヤ巻取り装置８からなる閉窓機構５とを有する天窓装置において、
前記固定枠２は、外側壁２１と底壁２２とを有する４つの固定枠部材３Ａ〜３Ｄを矩形に組んでなり、前記ワイヤ巻取り装置８は、所定の固定枠部材の前記底壁２２の上面に設置されるとともに、前記底壁２２の幅内に収容されていることを特徴とする天窓装置。
【請求項５】
請求項１または請求項４に記載の天窓装置において、前記ワイヤ巻取り装置８は、モーター８１と、このモーター８１の回転駆動により前記ワイヤ５１を巻き取り、かつ巻き戻すワイヤ巻取りプーリ８２と、前記モーター８１の通電を制御する制御装置８３とからなることを特徴とする天窓装置。
【請求項６】
請求項４または請求項５に記載の天窓装置において、前記開窓付勢機構４は、左右の固定枠部材２Ａ、２Ｂと左右の昇降枠部材３Ａ、３Ｂとの間に取り付けた一対の平行移動機構６、６と、後の固定枠部材２Ｄに沿って配されたトーションバー７、７とからなり、各平行移動機構６は、第１アーム６１と第２アーム６２とを中間位置でピン６３により連結したＸ字形リンクを構成しており、前記第１アーム６１、６１は、一端が左右の固定枠部材２Ａ、２Ｂの後側の内側面にピンにより回動自在に連結され、他端が前記左右の昇降枠部材３Ａ、３Ｂの前側の内側面にスライド機構６６、６６を介してスライド自在に連結され、前記第２アーム６２は、一端が前記左右の昇降枠部材３Ａ、３Ｂの後側の内側面にピンにより回動自在に連結され、他端が前記左右の固定枠部材２Ａ、２Ｂの前側の内側面にスライド機構６８、６８を介してスライド自在に連結されており、前記トーションバー７、７は、一端７１が前記後の固定枠部材２Ｄの内壁に固定され、他端７２がリンク腕の後端部に連結されており、前記第１アーム６１、６１を起立させた時に前記昇降枠３が上昇して天窓を開窓する方向に付勢することを特徴とする天窓装置。
【請求項７】
請求項６に記載の天窓装置において、前記一対の平行移動機構６、６および前記トーションバー７、７は、前記固定枠部材２Ａ、２Ｂまたは前記固定枠部材２Ｃの底壁２２の幅内に収容されていることを特徴とする天窓装置。
【請求項８】
請求項４〜７のいずれか１に記載の天窓装置において、前記固定枠２および前記昇降枠３の内側面を蓋板２４で塞ぐことを特徴とする天窓装置。
【請求項９】
請求項４〜８のいずれか１に記載の天窓装置において、前記昇降枠３の上面に遮光スクリーン９１を巻取り可能かつ引き出し可能に設けた遮光スクリーン装置９が設置されていることを特徴とする天窓装置。
【請求項１０】
請求項４〜９のいずれか１に記載の天窓装置において、前記固定枠２の下面に防虫用の網戸１１を付設したことを特徴とする天窓装置。
【請求項１１】
請求項４〜１０のいずれか１に記載の天窓装置において、前記ワイヤ巻取り装置８は、リモコン操作用の基板８４が付設された制御装置８３を備える前記モーター８１と、このモーター８１の出力軸に連結された前記ワイヤ巻取りプーリ８２とからなり、リモートコントローラーにより遠隔操作可能であることを特徴とする天窓装置。
【発明の詳細な説明】
【技術分野】
【０００１】
この発明は、採光、換気あるいは排煙などのため、窓枠に取り付けた固定枠に開閉枠あるいは昇降枠を設けて天窓の開閉を行う天窓装置に関する。
【背景技術】
【０００２】
従来の天窓装置は、図９に示す如く、矩形の窓枠の上面に、矩形の固定枠２を固定し、この固定枠２の上面に矩形の昇降枠３を載置している。固定枠２と昇降枠３とは、平行して向かい合った左右の固定枠部材２Ａ、２Ｂと、左右の昇降枠部材３Ａ、３Ｂとが、Ｘ字形の一対の平行移動機構６、６により連結されている。平行移動機構６、６は、トーションバー７、７により昇降枠３を上昇させて開窓する方向に常時付勢されている。固定枠２と昇降枠３との間には、所定の位置に設置した転向プーリ５２に単一のワイヤ５１を連続的に配策し、ワイヤ５１を電動式のワイヤ巻取り装置８で巻き取り、天窓を閉窓するようにしている（例えば、特許文献１参照）。
【特許文献１】特公平６−７８６６７号公報（第１−４頁、第１−２図）
【発明の開示】
【発明が解決しようとする課題】
【０００３】
従来の天窓装置では、図９に示すようにワイヤ巻取り装置８が固定枠２の底壁２２の内周縁から内側に突出していた。このため、屋内側からの見栄えが悪いとともに、湿気や日光に晒されやすく、腐食や熱劣化に起因して耐久性が低下する問題があった。
【０００４】
この発明は上記事情に鑑みてなされたもので、その目的はワイヤ巻取り装置が天窓の有効開口面内へ突出すことがなくなり、屋内からの見栄えが向上するとともに、耐蝕性や断熱性に優れ、耐久性が向上する天窓装置の提供にある。
【課題を解決するための手段】
【０００５】
（請求項１について）
天窓装置においては、屋根に開けた窓穴の窓枠に固定された固定枠と、この固定枠の上面に開閉可能に設けられた開閉枠と、固定枠と開閉枠との間に設置され、開閉枠を開窓方向に付勢する開窓付勢機構とを備えている。さらに、固定枠と開閉枠とに設置した転向プーリ、この転向プーリに配策したワイヤおよびワイヤを巻き取るワイヤ巻取り装置からなる閉窓機構とを備えている。固定枠は、外側壁と底壁とを有する４つの固定枠部材を矩形に組んでなり、ワイヤ巻取り装置は所定の固定枠部材の底壁の上面に設置されるとともに、底壁の幅内に収容されている。
【０００６】
（請求項２について）
開閉枠はヒンジ機構により片開き形の窓を形成している。
（請求項３について）
開閉枠はヒンジ機構により両開き形の窓を形成している。
【０００７】
（請求項４について）
天窓装置においては、屋根に開けた窓穴の窓枠に固定された固定枠と、この固定枠の上面に載置された昇降枠と、固定枠と昇降枠との間に設置され、昇降枠を上昇させて開窓する方向に付勢する開窓付勢機構とを備えている。さらに、固定枠と昇降枠とに設置した転向プーリと、この転向プーリに配策したワイヤおよびワイヤを巻き取るワイヤ巻取り装置を有する閉窓機構とを備えている。固定枠は、外側壁と底壁とを有する４つの固定枠部材を矩形に組んでなり、ワイヤ巻取り装置は、所定の固定枠部材の底壁の上面に設置されるとともに、底壁の幅内に収容されている。
【０００８】
（請求項５について）
ワイヤ巻取り装置は、モーターと、このモーターの回転駆動によりワイヤを巻き取り、かつ巻き戻すワイヤ巻取りプーリと、モーターの通電を制御する制御装置とからなる。
【０００９】
（請求項６について）
開窓付勢機構は、左右の固定枠部材と左右の昇降枠部材との間に取り付けた一対の平行移動機構と、後の固定枠部材に沿って配されたトーションバーとからなる。各平行移動機構は、第１アームと第２アームとを中間位置でピンにより連結したＸ字形リンクを構成する。第１アームは、一端が左右の固定枠部材の後側の内側面にピンにより回動自在に連結され、他端が前記左右の昇降枠部材の前側の内側面にスライド機構を介してスライド自在に連結されている。第２アームは、一端が左右の昇降枠部材の後側の内側面にピンにより回動自在に連結され、他端が左右の固定枠部材の前側の内側面にスライド機構を介してスライド自在に連結されている。トーションバーは、一端が後の固定枠部材の内壁に固定され、他端がリンク腕の後端部に連結されており、第１アームを起立させた時に昇降枠が上昇して天窓を開窓する方向に付勢する。
【００１０】
（請求項７について）
一対の平行移動機構およびトーションバーは、固定枠部材または固定枠部材の底壁の幅内に収容されている。
【００１１】
（請求項８について）
固定枠および昇降枠の内側面を蓋板で塞いでいる。
（請求項９について）
昇降枠の上面に遮光スクリーンを巻取り可能かつ引き出し可能に設けた遮光スクリーン装置が設置されている。
【００１２】
（請求項１０について）
固定枠の下面に防虫用の網戸を付設している。
（請求項１１について）
ワイヤ巻取り装置は、リモコン操作用の基板が付設された制御装置を備えるモーターと、このモーターの出力軸に連結されたワイヤ巻取りプーリとからなり、リモートコントローラーにより遠隔操作可能である。
【発明の効果】
【００１３】
（請求項１について）
固定枠部材の内部にワイヤ巻取り装置を収容しているため、ワイヤ巻取り装置が天窓内へ突出することがなくなり、屋内側からの見栄えが向上するとともに、耐蝕性や断熱性に優れ、耐久性が増大して耐久製品としての付加価値が生じる。
また、ワイヤ巻取り装置が天窓内へ突出しなくなることに伴い、現場で相手方の取付部材との調整を考慮する必要がなくなり、ワイヤ巻取り装置の設置やワイヤの取り回しおよび開閉調整作業を予め工場出荷時に完了させることができる。このため、現場での取付工事の要件内容を大幅に削減できて施工性が向上する。
【００１４】
（請求項２について）
開閉枠は片開き形の窓を形成するので、比較的簡素な構成で建物の採光、換気および排煙などに対応することができる。
【００１５】
（請求項３について）
開閉枠は両開き形の窓を形成するので、工場や倉庫などのように大規模な建物の採光、換気および排煙などにおいて、天窓の開口面積を大きく確保したい場合に効果的に対処することができる。
【００１６】
（請求項４について）
請求項１との違いは開閉枠に代わって昇降枠を設けたことだけであるため、請求項１と同様に、屋内側からの見栄えが向上するとともに、耐蝕性や断熱性に優れ、耐久性が増大して耐久製品としての付加価値が生じる。また、ワイヤ巻取り装置の設置やワイヤの取り回しおよび開閉調整作業を予め工場出荷時に完了させられるため、現場での取付工事の要件内容を大幅に削減できて施工性が向上する。
【００１７】
（請求項５について）
ワイヤ巻取り装置の構成は、モーター、プーリおよびモーターの制御装置であるため、ワイヤ巻取り装置が入手可能な既存の部品による比較的簡素な構造で済みコスト的に有利である。
【００１８】
（請求項６について）
各平行移動機構は、第１アームと第２アームとを中間位置でピンにより連結したＸ字形リンクを構成し、第１アームを起立させた時に昇降枠を上昇させ、天窓が開窓する方向に付勢されるトーションバーを用いている。このため、Ｘ字形リンクやトーションバーといった入手し易い既存の部品により、各平行移動機構を比較的簡素な構造に組み立てることができてコスト的に有利になる。
【００１９】
（請求項７について）
一対の平行移動機構およびトーションバーを、固定枠部材または固定枠部材の底壁の幅内に収容しているので、平行移動機構とトーションバーとが天窓内へ突出しなくなり、屋内側からの意匠性、耐蝕性および断熱性に優れる。
【００２０】
（請求項８について）
固定枠および昇降枠を蓋板で塞いでいるため、内部が隠れて見えず、意匠効果および耐久性の増大効果を一層向上させることができる。
【００２１】
（請求項９について）
巻取り可能かつ引き出し可能に設けた遮光スクリーンにより、日照時間中などに昇降枠の全面的な遮光を行うことが可能となって大きな熱遮蔽効果が得られ、取付ブラケットなどが不要で簡素な装着構造で済む。また、遮光スクリーン装置の取付け作業は、ドームの内側から行うことができるためメンテナンス性に優れる。
【００２２】
（請求項１０について）
防虫用の網戸の着脱をドームの内側から行うことができるため、網戸の着脱が容易であり、メンテナンスについての業務も容易に行うことができる。
【００２３】
（請求項１１について）
ワイヤ巻取り装置は、リモートコントローラーにより遠隔操作可能であるため、操作盤の位置に限定されず、操作者が任意の場所から開閉の操作制御を行うことができる。また、ワイヤ巻取り装置の駆動部と信号伝達用ワイヤの配索が不要となるため、据付け現場での施工を簡略にすることができる。
【発明を実施するための最良の形態】
【００２４】
屋根に開けた窓穴の窓枠に固定された固定枠は、外側壁と底壁とを有する４つの固定枠部材を矩形に組んでなり、ワイヤ巻取り装置は所定の固定枠部材の底壁の上面に設置されるとともに、底壁の幅内に収容されている。ワイヤ巻取り装置が天窓内へ突出しなくなって屋内側からの見栄えが向上するとともに、耐蝕性や断熱性に優れ、耐久性の増大に寄与する。
【実施例１】
【００２５】
図１ないし図３は本発明の実施例１を示す。図１に示す天窓装置は、屋根に開けた矩形の窓穴（図示せず）の窓枠１に取り付けて使用される。天窓装置は、窓枠１と略同一平面形状を有し、窓枠１の上面に固定される矩形の固定枠２と、固定枠２と略同一平面形状を有し、固定枠２の上面に昇降自在に載置される矩形の昇降枠３とを備えている。
【００２６】
昇降枠３には、内部にガラスＧが嵌め込まれ、昇降枠３の上方には半透明で樹脂製のドームＤが被せられている。固定枠２と昇降枠３との間には、昇降枠３を上方（開窓方向）に付勢する開窓付勢機構４と、ワイヤ５１を用いた電動式の閉窓機構５とが装着されている。なお、閉窓機構５は手動式の機構を有するものであってもよい。
【００２７】
固定枠２は、左右の固定枠部材２Ａ、２Ｂおよび前後の固定枠部材２Ｃ、２Ｄを矩形に組んで構成されている。各固定枠部材２Ａ〜２Ｄは、外側壁２１、底壁２２および内周縁２３からなり、全体的に断面略Ｌ字形に形成されている。４つの内周縁２３で囲まれた内部が天窓（固定枠２）の有効開口面積となっている。外側壁２１の下部の外周には、斜め下方に傾斜した水切りＷが周設されている。この実施例では、内周縁２３の内側には防虫用の網戸１１が下側から着脱可能に張られている。このため、虫などの侵入を防ぐとともに、網戸１１の清掃などメンテナンスが容易になる。
【００２８】
昇降枠３は、左右の昇降枠部材３Ａ、３Ｂ、および前後の昇降枠部材３Ｃ、３Ｄを矩形に組んで形成されている。各昇降枠部材３Ａ〜３Ｄは、外側壁３１および底壁３２とからなる略逆Ｌ字形の断面を有する。底壁３２は底壁２２と同一の幅を有し、４つの底壁３２の内部は、天窓の有効開口面積と同一に設定されている。
【００２９】
開窓付勢機構４は、左右の固定枠部材２Ａ、２Ｂと左右の昇降枠部材３Ａ、３Ｂとの間に取り付けた一対の平行移動機構６、６と、後の固定枠部材２Ｄに沿って配されたトーションバー７、７とからなる。各平行移動機構６は、第１アーム６１と第２アーム６２とを中間位置でピン６３により連結して構成している。第１アーム６１と固定枠部材２Ａとの間には、ガスダンパー６３Ａが設けられ、開窓時や開窓終了時の急激な変位を吸収して衝撃を緩和する働きを有し、後述するトーションバー７、７の補助的機能を果たす。
【００３０】
第１アーム６１、６１は、それぞれの一端が左右の固定枠部材２Ａ、２Ｂの外側壁２１の内側面にピン（図示せず）により回動自在に連結され、他端が左右の昇降枠部材３Ａ、３Ｂの前側の外側壁３１の内側面にスライド機構６６、６６を介してスライド自在に連結されている。第２アーム６２、６２は、それぞれの一端が左右の昇降枠部材３Ａ、３Ｂの後側の外側壁３１の内側面にピン（図示せず）により回動自在に連結され、他端が左右の固定枠部材２Ａ、２Ｂの前側の外側壁２１の内側面にスライド機構６８、６８を介してスライド自在に連結されている。
【００３１】
トーションバー７、７は、それぞれ一端７１、７１が後の固定枠部材２Ｄの左右側の外側壁２１の内側面に固定され、Ｌ字形に曲げられた他端７２、７２が第１アーム６１、６１の後端部に連結されている（図２参照）。トーションバー７、７の主要部は、後の固定枠部材２Ｄの底壁２２の幅内に配されるとともに、固定枠部材２Ｄの内側に沿って配された半筒状カバー７３で覆われている。トーションバー７、７は、第１アーム６１、６１を起立させて昇降枠３を上昇させ天窓を開窓する方向に付勢している。
【００３２】
電動式の閉窓機構５は、電動式のワイヤ巻取り装置８と、固定枠２と昇降枠３の上下に対応する４つの部位に取り付けた転向プーリ５２と、これら転向プーリ５２に連続的に配策された単一のワイヤ５１とからなる。ワイヤ５１は、天窓を開閉すべくワイヤ巻取り装置８に巻取り可能かつ巻戻し可能に連結されている。ワイヤ巻取り装置８は、モーター８１、モーター８１の出力軸（図示せず）に連結したワイヤ巻取りプーリ８２および制御装置８３からなり、いずれも前の固定枠部材２Ｃの底壁２２の幅内に設置されている。
【００３３】
制御装置８３には、リモコン操作用の基板８４が付設されており、リモートコントローラー（図示せず）により遠隔操作を行うことができる。これにより操作盤の位置に限定されず、操作者が任意の場所から開閉の操作制御（リモコン制御）を行うことができる。また、ワイヤ巻取り装置８の駆動部と、信号伝達用ワイヤの配索が不要となり、据付け現場での施工工事を簡略化することができる。
【００３４】
実施例１では、前後左右の固定枠部材２Ａ〜２Ｄの外側壁２１を、図９に示す外側壁２１を固定枠２の内側に備えた従来例（比較例）に比較して、固定枠２の外周方向に拡大させることによって、ワイヤ巻取り装置８の収容空間を確保している。これにより、ワイヤ巻取り装置８を固定枠２に内蔵させることによる天窓開口部Ｈの有効開口面積の減少はなく、スペックダウンが発生しない。なお、この実施例では、水切りＷを固定枠２の上部（天板）と下部（外周縁）とに分けて設けている。
【００３５】
この発明では、平行移動機構６、６の主要部、トーションバー７、７およびワイヤ巻取り装置８が、いずれも固定枠２の固定枠部材２Ａ〜２Ｄの底壁２２の内部に設置されている。このため、これらを固定枠部材２Ａ〜２Ｄの底壁２２内に隠すことができ、天窓装置の意匠性の向上、耐蝕性の向上および断熱性の向上ができる。これに対して、図９および図１０に示す従来例（比較例）の如く、平行移動機構６、６の後側部やトーションバー７、７のピンによる連結部やワイヤ巻取り装置８などが底壁２２から内側に突き出している場合は、意匠性、耐蝕性および断熱性が低下する。
【００３６】
昇降枠３の底壁３２の上面には、遮光スクリーン装置９が設置されている（図３参照）。遮光スクリーン装置９は、遮光スクリーン９１、スクリーン巻取り装置９２およびスクリーン引き出し装置９３とからなり、電動により遮光スクリーン９１が巻取られたり、引き出（開閉）されたりする。このように、底壁３２の上面の遮光スクリーン装置９をドームＤとガラスＧとの間に配置することによって、意匠性が向上し、取付ブラケットなどが不要になるため装着作業が簡単になる。また、ドームＤ側から設置、遮光スクリーン装置９の取り替え作業が行えてメンテナンス性に優れる。さらに、遮光スクリーン装置９は、天窓開口部Ｈに対して開閉自在で、天窓開口部Ｈの全面を遮ることも可能なため、夏期や日照中などの熱遮蔽効果が大きい。
【実施例２】
【００３７】
図４は本発明の実施例２を示す。実施例２では、固定枠２（固定枠部材２Ａ〜２Ｄ）の内側面を蓋板２４により塞ぎ、昇降枠３（昇降枠部材３Ａ〜３Ｄ）の内側面を蓋板３４により塞いでいる。蓋板２４は内周縁２３に着脱可能に設けられ、蓋板３４は底壁３２の内周縁に着脱可能に取り付けられており、天窓の閉窓状態で蓋板２４の上端縁と蓋板３４の下端縁とが当接するように設定されている。
この構成では、平行移動機構６、６の主要部、トーションバー７、７およびワイヤ巻取り装置８を、固定枠２および昇降枠３の内部に完全に収容できるため、意匠性、耐蝕性および断熱性を一層向上させることができる。
【実施例３】
【００３８】
図５および図６は本発明の実施例３を示す。実施例３では、ワイヤ巻取り装置８を固定枠部材２Ａに近接するように配置し、固定枠部材２Ａ〜２Ｄの転向プーリ５２に配索されたワイヤ５１を固定枠２の内側付近に沿わせて矩形状に配置している。これにより、ワイヤ５１が天窓開口部Ｈを横切らず、屋内からの見栄えがよくなって意匠が向上する。しかも、ワイヤ５１が天窓開口部Ｈを通過する排煙気流などに接触することがなくなり、排煙成分などにより汚れることがない。この場合、ワイヤ５１の配索を主要な構成としているので、図５および図６において、ワイヤ５１を除く部材についての符号は極力省略した。
【実施例４】
【００３９】
図７は本発明の実施例４を示す。実施例４が実施例１と異なるところは、実施例１の昇降枠３に代わって片開き形の開閉枠１００を設けたことである。開閉枠１００は、上面にガラスＧおよび蒲鉾状のドームＤを備えている。開閉枠１００の一辺部１０１は、固定枠２の固定枠部材２Ｄにヒンジ機構（図示せず）により、天窓開口部Ｈに対して開閉可能に支持されている。ワイヤ５１を配索する転向プーリ５２は、開閉枠１００の内面部において、ヒンジ機構とは反対側の二隅角部に取り付けられている。開閉枠１００を開窓方向に付勢する開窓付勢機構４には、ダンパー１０５を適用している。ダンパー１０５は、ガス、オイルあるいはスプリングなどを内設したシリンダー１０３内に圧縮棒１０４を軸方向に変位可能に設けたものである。
【００４０】
ダンパー１０５は、開閉枠１００の左右両側と固定枠２との間に回動リンク１０６とともに設けられている。ダンパー１０５と回動リンク１０６とは、各上端部でピン１０７により回動可能に連結され、開閉枠１００の左側および右側に設けられたスライダー１０８に摺動可能に取り付けられている。開閉枠１００の左側におけるダンパー１０５の圧縮棒１０４および回動リンク１０６は、各下端部を固定枠部材２Ａにピン１０９、１１０により回動可能に取り付けられている。開閉枠１００の右側におけるダンパー１０５の圧縮棒１０４および回動リンク１０６は、各下端部を固定枠部材２Ｂに同様のピン１０９、１１０により回動可能に取り付けられている。このため、開閉枠１００は左右両側のダンパー１０５により、図７に矢印Ｍで示すように開窓方向に付勢されている。
【００４１】
閉窓機構５のワイヤ巻取り装置８によりワイヤ５１を巻き取ると、ダンパー１０５がガスやスプリングなどに抗して圧縮されながら矢印Ｍとは反対方向に回動変位して開閉枠１００を下方に回動して天窓開口部Ｈを閉鎖する。天窓の開放時、開閉枠１００の閉窓ロックを解除することにより、ダンパー１０５の付勢力により圧縮棒１０４がシリンダー１０３から押し出される。このため、開閉枠１００が上方回動力を受け、ダンパー１０５が伸びながら矢印Ｍの方向に回動変位して天窓開口部Ｈを開放する。
【実施例５】
【００４２】
図８は本発明の実施例５を示す。実施例５が実施例４と異なるところは、実施例４の開閉枠１００を左右に対向するように設けて両開き形の窓を構成したことである。
開閉枠１００は、固定枠部材２Ｃおよび固定枠部材２Ｄにヒンジ機構（図示せず）により開閉可能に設けられている。固定枠部材２Ａおよび固定枠部材２Ｂには、両辺部が開閉枠１００に対応するように略二等辺三角形状の受板部１１１を一体的に立設している。受板部１１１の頂点部同士は梁状の樋部１１２により連結されている。
【００４３】
開閉枠１００の転向プーリ５２に配索されたワイヤ５１は、樋部１１２の下面部に取り付けられた転向プーリ５２を介して閉窓機構５のワイヤ巻取り装置８に巻き取られるようになっている。固定枠部材２Ｃと固定枠部材２Ｄとは、中間梁部１１３により連結されている。中間梁部１１３は、開閉枠１００の内面に形成したスライダー１１４に対応している。ダンパー１０５のシリンダー１０３は、スライダー１１４に摺動可能に連結され、圧縮棒１０４の下端部は中間梁部１１３に回動可能に設けられている。この状態では、ダンパー１０５の圧縮棒１０４は、ガスやスプリングなどによりシリンダー１０３から押し出されるように働いて開閉枠１００を矢印Ｎで示す開窓方向に付勢している。
【００４４】
ワイヤ巻取り装置８によりワイヤ５１を巻き取ると、ダンパー１０５の圧縮棒１０４がガスやスプリングなどに抗して圧縮されながら矢印Ｎとは反対方向に回動変位する。このため、開閉枠１００が下方に回動して受板部１１１の斜辺部および樋部１１２に当接して天窓開口部Ｈを閉鎖する。天窓の開放時、開閉枠１００の閉窓ロックを解除することにより、ダンパー１０５の付勢力により圧縮棒１０４がシリンダー１０３から押し出される。このため、左右の開閉枠１００が上方回動力を受け、ダンパー１０５の圧縮棒１０４が伸びながら矢印Ｎの方向に回動変位して天窓開口部Ｈを開放する。
【００４５】
（変形例）
なお、開閉枠１００については、ドームＤ、ガラスＧあるいは天板タイプであってもよく、透明でなく半透明あるいはスモークであってもよく、要は天窓開口部Ｈを開閉することができるものであればよい。両開き形の開閉枠１００では、どちらか一方だけ選択的に開閉するようにしてもよい。また、開閉枠１００は、片開き形あるいは両開き形を問わず、各自が所望の開閉度合に段階的に保持されるように設定してもよい。また、実施例４および実施例５では、ダンパー１０５に加えて実施例１のトーションバー７を設けるようにしてもよい。
【図面の簡単な説明】
【００４６】
【図１】この発明の実施例１に係る天窓装置の概略構成を示す斜視図である。
【図２】この発明の実施例１に係る天窓装置の概略構成を示す平面図である。
【図３】この発明の実施例１に係る天窓装置の要部の断面図である。
【図４】この発明の実施例２に係る天窓装置の要部の断面図である。
【図５】この発明の実施例３に係る天窓装置の概略構成を示す斜視図である。
【図６】この発明の実施例３に係る天窓装置のワイヤの配索構成を示す概略図である。
【図７】この発明の実施例４に係る天窓装置の概略構成を示す斜視図である。
【図８】この発明の実施例５に係る天窓装置の概略構成を示す斜視図である。
【図９】従来例の天窓装置の斜視図である。
【図１０】従来例の天窓装置の要部の断面図である。
【符号の説明】
【００４７】
１    窓枠
１１  網戸
２    固定枠
２Ａ  左の固定枠部材
２Ｂ  右の固定枠部材
２Ｃ  前の固定枠部材
２Ｄ  後の固定枠部材
２１、３１  外側壁
２２、３２  底壁
２４  蓋板
３    昇降枠
３Ａ  左の昇降枠部材
３Ｂ  右の昇降枠部材
３Ｃ  前の昇降枠部材
３Ｄ  後の昇降枠部材
３４  蓋板
４    開窓付勢機構
５    閉窓機構
５１  ワイヤ
５２  転向プーリ
６    平行移動機構
７    トーションバー
７１  一端
７２  他端
８    ワイヤ巻取り装置
８１  モーター
８２  ワイヤ巻取りプーリ
８３  制御装置
８４  リモコン用基板（リモコン操作用の基板）
９    遮光スクリーン装置
９１  遮光スクリーン
１００  開閉枠
Ｄ  ドーム
Ｇ  ガラス
【図１】
2004332533.tif 000003
【図２】
2004332533.tif 000004
【図３】
2004332533.tif 000005
【図４】
2004332533.tif 000006
【図５】
2004332533.tif 000007
【図６】
2004332533.tif 000008
【図７】
2004332533.tif 000009
【図８】
2004332533.tif 000010
【図９】
2004332533.tif 000011
【図１０】
2004332533.tif 000012